(57)【特許請求の範囲】
【請求項１】
光ファイバと、当該光ファイバの両側面に配置されたテンションメンバと、前記光ファイバと前記テンションメンバとを覆うシースを有する光ケーブルにおいて、
前記光ファイバの端部に光コネクタのフェルールが取り付けられると共に、前記フェルールがハウジングに収納され、
更に、前記光ファイバを挿通させる挿通孔を有し、一方に前記ハウジングに係止するための係止機構、他方に前記テンションメンバと連結固定するための連結固定部を有したストッパ部が前記係止機構によって前記ハウジングに収納され、
前記連結固定部の前記挿通孔の外側、両側面に更に凹部が設けられ、
前記テンションメンバと前記テンションメンバを覆うシースの端部が、前記ストッパ部の前記連結固定部と把持部品によって連結固定されていることを特徴とするコネクタ付き光ケーブル。
【請求項２】
前記ストッパ部の前記連結固定部が前記挿通孔の外側の前記凹部に設けられた突起であり、前記把持部品が前記光ケーブルの前記シースを覆う部品であり、
前記テンションメンバと前記テンションメンバを覆う前記シースの端部を、前記突起と前記把持部品によって挟着することによって連結固定することを特徴とする請求項１のコネクタ付き光ケーブル。
【請求項３】
前記ストッパ部の係止機構が、前記フェルールと当該ストッパ部間に設けられた押しばねと、当該ストッパ部及び前記ハウジングに設けられた前記突起とフックにより係止される機構である、請求項２のコネクタ付き光ケーブル。
【発明の詳細な説明】
【０００１】
【発明の属する技術分野】
本発明は、コネクタ付き光ケーブルに関する。
【０００２】
【従来の技術】
光ファイバケーブル、例えば、図１２に示す通信用の架空ドロップケーブル１は、鋼線からなる支持線２、単心の光ファイバ或いはテープファイバ等の多心の光ファイバ３及びテンションメンバ４が可撓性を有する合成樹脂製のシース５で被覆されている。架空ドロップケーブル１は、薄肉部５ａでシース５を引き裂くと、支持線２とテンションメンバ４を含む光ファイバ３とに、薄肉部５ｂでシース５を引き裂くと、光ファイバ３とテンションメンバ４を覆うシース５とに、ぞれぞれ軸方向に沿って分離することができる。
【０００３】
架空ドロップケーブル１は、既設ケーブルと接続するには、電柱上の架空クロージャ又は加入者宅の光成端ボックスまで引き込んで引き留める等の種々の方法がある。
例えば、前記架空クロージャの手前で架空ドロップケーブル１を薄肉部５ａで引き裂き、支持線２とテンションメンバ４を含む光ファイバ３とに分離し、光ファイバ３とテンションメンバ４とを架空クロージャ内に引き込む。そして、シース５を薄肉部５ｂで引き裂いて光ファイバ３とテンションメンバ４を覆うシース５とに分離し、露出した光ファイバ３の余長を確保しながらテンションメンバ４を架空クロージャの所定位置にねじ止め等で固定すると共に、光ファイバ３を既設幹線ケーブルの光ファイバと融着やメカニカルスプライス等によって接続している。
【０００４】
【発明が解決しようとする課題】
ところで、架空クロージャを用いて架空ドロップケーブル１を既設ケーブルと接続する場合、支持線２を所定位置に固定した後、光ファイバ３の余長を考慮しながらテンションメンバ４を架空クロージャの所定位置に固定する必要がある。このため、架空ドロップケーブル１の架空クロージャへの引き込みや取り回しのための作業が煩雑であるという問題があった。
【０００５】
また、架空ドロップケーブル１と既設ケーブルとを接続する場合、光ファイバ同士の融着やメカニカルスプライス等の接続作業は、電柱上等の現場で専用工具を用いて行う必要がある。このため、接続作業の標準化が図れず、工事が長期化するという問題もあった。
本発明は上記の点に鑑みてなされたもので、光ファイバケーブルの既設ケーブルとの現場における接続作業を簡略化並びに標準化することが可能なコネクタ付き光ケーブルを提供することを目的とする。
【０００６】
【課題を解決するための手段】
本発明においては上記目的を達成するため、光ファイバ、テンションメンバ及び前記光ファイバと前記テンションメンバとを覆うシースを有する光ケーブルにおいて、前記光ファイバの端部に光コネクタのフェルールが取り付けられると共に、前記フェルールがハウジングに収納され、前記テンションメンバを覆うシースの端部が、把持部品によって前記ハウジングのストッパ部に連結固定されている構成としたのである。
【０００７】
好ましくは、前記把持部品を、前記ハウジングと別体或いは一体に形成する。
また好ましくは、前記ストッパ部は、前記ハウジングと別体で、前記シースに噛み込む突起を設ける。
好ましくは、前記把持部品は、前記シースに係止される係止部を設ける。
更に好ましくは、前記把持部品をねじ或いはナットとする。
【０００８】
【発明の実施の形態】
以下、本発明のコネクタ付き光ケーブルに係る一実施形態を図１乃至図１１に基づいて詳細に説明する。
コネクタ付き光ケーブル１０は、図１に示すように、従来の技術で説明した図１２に示す架空ドロップケーブル１の端部に光コネクタ１１が取り付けられている。
【０００９】
但し、コネクタ付き光ケーブル１０は、架空ドロップケーブル１の他、インドアケーブル，フロアケーブル，ターミネーションケーブル等の光ファイバケーブルを使用することができる。
光コネクタ１１は、図１及び図２に示すように、光ファイバ３の端部にフェルール１２が取り付けられると共に、フェルール１２がハウジング１３に収納され、ハウジング１３に取り付けられるストッパ部材１４に、テンションメンバ４を覆うシース５の端部が把持部品１５によって連結固定され、後部にはゴムブーツ１６が被着されている。
【００１０】
フェルール１２は、多心コネクタ用のフェルールで、図１に示すように、両側にピン孔１２ａが形成され、ピン孔１２ａ間に形成されたファイバ孔に光ファイバ３の心線が接着固定されている。
ハウジング１３は、図１及び図２に示すように、フェルール１２を挿着する四角筒形状の部材で、内部に突部１３ａが形成されている。
【００１１】
ストッパ部材１４は、図２及び図３に示すように、本体１４ａの一方に２本のアーム１４ｂが、他方に支持部１４ｄが形成されている。アーム１４ｂは、ハウジング１３の突部１３ａに係止するフック１４ｃが先端に形成されている。支持部１４ｄは、図３に示すように、両側に凹部１４ｅが、中央に本体１４ａまで延びる挿通孔１４ｆが形成された略円筒状の部分で、凹部１４ｅには複数の突起１４ｇが設けられている。このとき、複数の突起１４ｇには、架空ドロップケーブル１のシース５との摩擦が増大するように、あや目状の細かな突起を表面に形成してもよい。そして、図２に示すように、本体１４ａとフェルール１２との間にはフェルール１２を前方へ付勢する押しばね１７が配置されている。
【００１２】
ここで、ストッパ部材１４は、ハウジング１３と一体に成形されていてもよく、このようにすると光コネクタ１１の構成部品点数を低減でき、部品管理も容易となる。
また、ストッパ部材は、テンションメンバ４を覆うシース５の端部を把持部品１５によって連結固定できれば、図４（ａ），（ｂ）に示すストッパ部材１８のように、本体１８ａの一方に２本のアーム１８ｂが、他方に支持部１８ｄが形成された構成において、支持部１８ｄにシース５に係止されるフック状の鋭利な角部１８ｅを設けてもよい。このとき、ストッパ部材１８は、アーム１８ｂの先端にフック１８ｃを形成し、支持部１８ｄの中央に本体１８ａまで延びる挿通孔１８ｆを形成することはストッパ部材１４と同様である。
【００１３】
把持部品１５は、真鍮，軟鋼，アルミニウム等によって楕円形或いは円形の筒体に成形されている。把持部品１５は、薄肉部５ｂで引き裂いて分離されたテンションメンバ４を覆う２本のシース５の各端部を、図１及び図２に示すように、ストッパ部材１４の支持部１４ｄに連結固定している。
以上のように構成されるコネクタ付き光ケーブル１０は、先ず、架空ドロップケーブル１を薄肉部５ａで引き裂き、支持線２とテンションメンバ４を含む光ファイバ３とに分離し、支持線２を適宜の位置で切断しておく。
【００１４】
次に、シース５を薄肉部５ｂで引き裂いて光ファイバ３とテンションメンバ４を覆うシース５とに分離し、光ファイバ３をゴムブーツ１６，把持部品１５，ストッパ部材１４の挿通孔１４ｆ，押しばね１７に挿通してから光ファイバ３先端部の被覆を除去して裸ファイバを露出する。そして、露出した裸ファイバの部分をフェルール１２のファイバ孔（図示せず）に挿通し、接着剤でフェルール１２に接着固定する。このとき、光ファイバ３は、前記裸ファイバを露出してから前記各部品に挿通してもよい。
【００１５】
次いで、フェルール１２前面の接続端面を研磨し、ハウジング１３を接続端面側からフェルール１２に被せる。
しかる後、ハウジング１３に後方からストッパ部材１４を挿着し、フック１４ｃを突部１３ａに係止する。これにより、フェルール１２は、押しばね１７によって常に前方の突き合せ方向へと付勢されることになる。
【００１６】
次に、残った２本のテンションメンバ４の長さを調整し、テンションメンバ４のそれぞれを、把持部品１５内に挿通する。そして、各テンションメンバ４の先端部を本体１４ａの後部に当接或いは後部近傍に配置し、把持部品１５を支持部１４ｄの突起１４ｇの位置まで引き寄せる。
次いで、突起１４ｇの位置で把持部品１５をかしめると、図２に示すように、テンションメンバ４を覆う２本のシース５の各端部に複数の突起１４ｇが食い込み、把持部品１５によってシース５の各端部がストッパ部材１４に連結固定されたコネクタ付き光ケーブル１０が得られる。
【００１７】
このように、コネクタ付き光ケーブル１０は、架空ドロップケーブル１の端部に光コネクタ１１が取り付けられている。従って、コネクタ付き光ケーブル１０を用いれば、架空ドロップケーブル１と既設ケーブルとの現場における接続作業を簡略化並びに標準化することが可能となる。
しかも、コネクタ付き光ケーブル１０は、前記構造とすることにより、架空ドロップケーブル１に作用する引張力に対してストッパ部材１４で対抗することができるので、光ファイバ３に引張力が及ぶことを回避することができる。
【００１８】
以下、本発明のコネクタ付き光ケーブルに係る他の実施形態について説明するが、コネクタ付き光ケーブル１０と同一の構成部材には同一の符号を用いて説明し、重複した説明を省略する。
コネクタ付き光ケーブル２０は、図５に示すように、光コネクタ１１のハウジング２１とストッパ部材２２の形状が、コネクタ付き光ケーブル１０のハウジング１３及びストッパ部材１４と若干異なっている。
【００１９】
ハウジング２１は、本体２１ａの後部に把持部品を兼ねる延出部２１ｃが一体に形成され、本体２１ａの内部には突部２１ｂが形成されている。延出部２１ｃには、図示のように、内方へ折り曲げた係止片２１ｄが形成されている。
ストッパ部材２２は、本体２２ａの一方に２本のアーム２２ｂが、他方に筒部２２ｄが、それぞれ形成されている。アーム２２ｂは、ハウジング２１の突部２１ｂに係止するフック２２ｃが先端に形成されている。
【００２０】
従って、本実施形態においては、薄肉部５ａで架空ドロップケーブル１を引き裂いて分離した一方の光ファイバ３と２本のテンションメンバ４を被覆したシース５を、そのまま本体２１ａ後部の延出部２１ｃに挿入し、シース５を本体２２ａに当接する。そして、ハウジング２１に挿着したフェルール１２に光ファイバ３を接着固定した後、延出部２１ｃをかしめると、係止片２１ｄがシース５に食い込むと共に、ストッパ部材２２の筒部２２ｄが延出部２１ｃとシース５との間に挟み込まれ、把持部品である延出部２１ｃによってシース５の各端部がストッパ部材２２に連結固定されたコネクタ付き光ケーブル２０が得られる。
【００２１】
従って、コネクタ付き光ケーブル２０は、コネクタ付き光ケーブル１０と同様に、架空ドロップケーブル１と既設ケーブルとの現場における接続作業を簡略化並びに標準化することが可能となる。
しかも、コネクタ付き光ケーブル２０は、前記構造とすることにより、架空ドロップケーブル１に作用する引張力に対してストッパ部材２２と把持部品である延出部２１ｃとで対抗することができるので、光ファイバ３に引張力が及ぶことがない。
【００２２】
一方、図６に示すコネクタ付き光ケーブル２５は、架空ドロップケーブル１の光ファイバ３とテンションメンバ４を覆うシース５とに分離した２本のシース５の端部を、把持部品２６によってストッパ部材２７に連結固定したものである。
ここで、ストッパ部材２７は、図７に示すように、本体２７ａの一方に２本のアーム２７ｂが、他方に支持部２７ｄが形成されている。アーム２７ｂは、ハウジング１３の突部１３ａに係止するフック２７ｃが先端に形成されている。支持部２７ｄは、図示のように、両側に凹部２７ｅが、中央に本体２７ａまで延びる挿通孔２７ｆが形成された略円筒状の部分である。
【００２３】
コネクタ付き光ケーブル２５は、光ファイバ３をハウジング１３に挿着したフェルール１２に接着固定すると共に、テンションメンバ４を覆う各シース５を凹部２７ｅに沿わせ、２本のシース５の端部に把持部品２６を被せ、把持部品２６をかしめて２本のシース５の端部をストッパ部材２７に連結固定する。そして、各シース５の端部を把持部品２６の部分で折り返し、ブーツ２８を被せてコネクタ付き光ケーブル２５が得られる。
【００２４】
このとき、把持部品２６をかしめず、各シース５の端部を把持部品２６の部分で折り返すだけでも、２本のシース５の端部は、各シース５を折り返した屈曲部で２本のシース５の端部をストッパ部材２７に連結固定することができる。
従って、コネクタ付き光ケーブル２５は、コネクタ付き光ケーブル１０と同様に、架空ドロップケーブル１と既設ケーブルとの現場における接続作業を簡略化並びに標準化することが可能となる。
【００２５】
しかも、コネクタ付き光ケーブル２５は、前記構造とすることにより、架空ドロップケーブル１に作用する引張力に対し、折り返して把持部品２６に係止されたシース５及びテンションメンバ４で対抗することができるので、光ファイバ３に引張力が及ぶことを回避することができる。
【００３３】
【発明の効果】
請求項１の発明によれば、光ファイバケーブルの既設ケーブルとの現場における接続作業を簡略化並びに標準化することが可能なコネクタ付き光ケーブルを提供することができる。
請求項２の発明によれば、コネクタ付き光ケーブルのコネクタを種々の構成とすることができる。
【００３４】
請求項３の発明によれば、ストッパ部材とシースとを確実に連結して、光ファイバに引張力が及ぶことを回避することができる。
【図面の簡単な説明】
【図１】本発明のコネクタ付き光ケーブルの一実施形態を、光コネクタのブーツを一部破断すると共に、光ケーブルの端面を断面で示した斜視図である。
【図２】図１のコネクタ付き光ケーブルにおける光コネクタの断面平面図である。
【図３】図２の光コネクタで用いるストッパ部材の斜視図である。
【図４】ストッパ部材の他の形態を示す正面図（ａ）と、左側面図（ｂ）である。
【図５】本発明のコネクタ付き光ケーブルの他の実施形態を示す断面平面図である。
【図６】本発明のコネクタ付き光ケーブルの更に他の実施形態を示す断面平面図である。
【図７】図６の光コネクタで用いるストッパ部材の斜視図である。
【図８】図６のＣ1−Ｃ1線に沿った断面図である。
【図９】光ファイバケーブルの一例として通信用の架空ドロップケーブルを示す断面図である。
【符号の説明】
１ 架空ドロップケーブル
２ 支持線
３ 光ファイバ
４ テンションメンバ
５ シース
５ａ 薄肉部
５ｂ 薄肉部
１０ コネクタ付き光ケーブル
１１ 光コネクタ
１２ フェルール
１３ ハウジング
１３ａ 突部
１４ ストッパ部材
１４ｇ 突起
１５ 把持部品
１６ ゴムブーツ
１７ 押しばね
１８ ストッパ部材
１８ｅ 角部
２０ コネクタ付き光ケーブル
２１ ハウジング
２１ｃ 延出部（把持部品）
２１ｄ 係止片
２２ ストッパ部材
２２ｄ 筒部
２５ コネクタ付き光ケーブル
２６ 把持部品
２７ ストッパ部材
２７ｄ 支持部
２７ｅ 凹部
２８ ゴムブーツ
【図１】
0003884648.tif 000002
【図２】
0003884648.tif 000003
【図３】
0003884648.tif 000004
【図４】
0003884648.tif 000005
【図５】
0003884648.tif 000006
【図６】
0003884648.tif 000007
【図７】
0003884648.tif 000008
【図８】
0003884648.tif 000009
【図９】
0003884648.tif 000010